(57)【要約】【課題】照明光を発する発光部からの光を利用して化粧台の上面に画像を表示することができる化粧台ユニット及びミラーキャビネットを提供する。【解決手段】化粧台ユニット１は、化粧台２と、ミラーキャビネット３とを備える。ミラーキャビネット３は、化粧台２の上方に配置される。ミラーキャビネット３は、発光部と、光変調器とを有している。発光部は、照明光を発する。光変調器は、発光部から発せられた光を変調して、化粧台２の上面に投影される表示光を生成する。【選択図】図１
2020195556.tif 000002
【特許請求の範囲】
【請求項１】
化粧台と、
前記化粧台の上方に配置されるミラーキャビネットとを備え、
前記ミラーキャビネットは、
照明光を発する発光部と、
前記発光部から発せられた光を変調して、前記化粧台の上面に投影される表示光を生成する光変調器とを有した、
化粧台ユニット。
【請求項２】
前記光変調器を、前記発光部から発せられた光を照明光として前記化粧台の上面に照射する状態と、前記発光部から発せされた光を前記表示光として前記化粧台の上面に照射する状態とに切換える制御部を更に備えた、
請求項１に記載の化粧台ユニット。
【請求項３】
前記化粧台は、
前記化粧台の上面に形成されたボウル部を有し、
前記光変調器は、前記表示光を前記ボウル部に向かって発する、
請求項１又は請求項２に記載の化粧台ユニット。
【請求項４】
前記化粧台の上面は、
平面部を有し、
前記光変調器は、前記表示光を前記平面部に向かって発する、
請求項１〜３のいずれか１項に記載の化粧台ユニット。
【請求項５】
前記発光部は、前記ミラーキャビネットの前方に向かって照明光を発し、かつ、前記ミラーキャビネットの下方に向かって光を発し、
前記光変調器は、前記発光部から下方に向かって発せられた光を変調して、前記表示光を生成する、
請求項１〜４のいずれか１項に記載の化粧台ユニット。
【請求項６】
化粧台の上方に配置されるミラーキャビネットであって、
照明光を発する発光部と、
前記発光部から発せられた光を変調して、前記化粧台の上面に照射される表示光を生成する光変調器とを有した、
ミラーキャビネット。
【発明の詳細な説明】
【技術分野】
【０００１】
本開示は、化粧台ユニット及びミラーキャビネットに関する。
【背景技術】
【０００２】
特許文献１には、洗面化粧ユニットが開示されている。この洗面化粧ユニットは、化粧カウンターよりも上方の部分に取り付けられた化粧用鏡を備えている。化粧用鏡は、収納ボックスと、収納ボックスの正面側に回転自在に取り付けられた三つの鏡を有している。収納ボックスの正面のうち、隣接する二つの鏡の隙間の部分には、それぞれ、照明装置が設置されている。
【先行技術文献】
【特許文献】
【０００３】
【特許文献１】特開２０１７−１６４４６０号公報
【発明の概要】
【発明が解決しようとする課題】
【０００４】
特許文献１には、照明装置を照明以外の用途に利用することが開示されていない。
【０００５】
本開示は上記事由に鑑みてなされており、照明光を発する発光部からの光を利用して化粧台の上面に画像を表示することができる化粧台ユニット及びミラーキャビネットを提供することを目的とする。
【課題を解決するための手段】
【０００６】
本開示の一態様に係る化粧台ユニットは、化粧台と、前記化粧台の上方に配置されるミラーキャビネットとを備える。前記ミラーキャビネットは、照明光を発する発光部と、前記発光部から発せられた光を変調して、前記化粧台の上面に投影される表示光を生成する光変調器とを有する。
【０００７】
本開示の一態様に係るミラーキャビネットは、化粧台の上方に配置されるミラーキャビネットであって、照明光を発する発光部と、前記発光部から発せられた光を変調して、前記化粧台の上面に照射される表示光を生成する光変調器とを有する。
【発明の効果】
【０００８】
前記一態様の化粧台ユニット及びミラーキャビネットは、照明光を発する発光部からの光を利用して化粧台の上面に画像を表示することができる。
【図面の簡単な説明】
【０００９】
【図１】図１は、本開示の一実施形態に係る化粧台ユニットの正面図である。
【図２】図２は、同上の化粧台ユニットが備える洗面台の平面図である。
【図３】図３は、図１のＸ−Ｘ線断面図である。
【図４】図４は、同上の化粧台ユニットが備える照明装置の分解斜視図である。
【図５】図５は、同上の化粧台ユニットのブロック図である。
【発明を実施するための形態】
【００１０】
（１）実施形態
以下に示す実施形態は、化粧台及びミラーキャビネットを備える化粧台ユニットと、化粧台ユニットが備えるミラーキャビネットに関する。
【００１１】
図１に示すように、化粧台ユニット１は、例えば、部屋の壁９０に沿って設置される。以下、化粧台ユニット１について、設置状態における方向を用いて説明する。具体的には、化粧台ユニット１から壁９０に向かう方向を後方とし、化粧台ユニット１から壁９０と反対側に向かう方向を前方とする。また、化粧台ユニット１を前方から見たときを基準にして、左右方向を定義する。
【００１２】
化粧台ユニット１は、化粧台２と、化粧台２の上方に配置されたミラーキャビネット３とを備えている。化粧台２は、壁９０に沿った状態で床９１の上に設置されている。化粧台２は、台本体２１と、カウンター２２とを有している。台本体２１は、床９１の上に設置されている。台本体２１の内部には、物品を収納するための収納空間２３がある。化粧台２は、複数の扉２４と複数の引出し２５とを更に有している。各扉２４は、収納空間２３の一部を前方から閉塞する。各引出し２５は、収納空間２３の一部に出し入れ可能に配置されている。
【００１３】
台本体２１の上方には、カウンター２２が配置されている。カウンター２２は板状に形成されており、台本体２１の上面に取り付けられている。カウンター２２の上面２２０は、化粧台２の上面を構成している。以下、カウンター２２の上面２２０をカウンター上面２２０という。
【００１４】
カウンター２２は、水を受けるボウル部２７を有している。すなわち、本実施形態の化粧台２は、洗面化粧台である。ボウル部２７は、上方に開口した容器状に形成されている。ボウル部２７は、カウンター上面２２０に形成されており、カウンター上面２２０の一部を構成している。本実施形態のボウル部２７は、カウンター２２のボウル部２７以外の部分と一体に形成されている。
【００１５】
化粧台２は、ボウル部２７に水を供給する水栓２８を更に有している。水栓２８は、カウンター上面２２０に取り付けられている。図２に示すように、水栓２８は、カウンター上面２２０の後端部に取り付けられている。
【００１６】
本実施形態のボウル部２７は、上方から見て左右方向に延びた長方形状に形成されている。ボウル部２７は、上方から見て、カウンター２２の周縁部で囲まれている。すなわち、カウンター２２においてカウンター２２の周縁部で囲まれた部分が、下方に凹んだボウル部２７になっている。カウンター上面２２０におけるボウル部２７以外の部分（すなわち、カウンター上面２２０の周縁部）は、略水平な平面である。すなわち、カウンター上面２２０の周縁部は、平面部を構成している。
【００１７】
ボウル部２７は、底部２７０と、底部２７０の周縁部から上方に向かって延びた周壁部２７１とを有している。底部２７０には、ボウル部２７に供給された水を排出するための排水孔２７２が形成されている。底部２７０は、略水平な板状に形成されている。底部２７０の上面は、略水平な平面である。すなわち、底部２７０の上面は、平面部を構成している。
【００１８】
図１に示すように、化粧台２の上方には、ミラーキャビネット３が設備されている。ミラーキャビネット３は、キャビネット本体３１と、複数の鏡扉３２とを有している。キャビネット本体３１は、左右方向に並んだ複数の箱体３３（図３参照）を有している。本実施形態のキャビネット本体３１は、複数の箱体３３として、三つの箱体３３を有している。以下、三つの箱体３３のうち、最も左側に位置する箱体３３を「左側の箱体３３」といい、最も右側に位置する箱体３３を「右側の箱体３３」といい、左側の箱体３３と右側の箱体３３との間に位置する箱体３３を「中央の箱体３３」という。
【００１９】
各箱体３３は、木製である。各箱体３３は、壁９０に沿って配置されており、壁９０に対して固定されている。各箱体３３は、前方に開口した箱状に形成されている。図３に示すように、各箱体３３の内側には、当該箱体３３の前面に形成された開口３４を通じて前方に開放される収納空間３５が形成されている。すなわち、キャビネット本体３１には、左右方向に並んだ複数の収納空間３５が形成されている。化粧台ユニット１の利用者は、各収納空間３５に洗面用具等の物品を収納することができる。
【００２０】
各箱体３３には、鏡扉３２が取り付けられている。本実施形態のミラーキャビネット３は、三面鏡として利用可能であり、図１に示すように、複数の鏡扉３２として、左右方向に並んだ３枚の鏡扉３２を有している。以下、３枚の鏡扉３２のうち、最も左側に位置する鏡扉３２を「左側の鏡扉３２」といい、最も右側に位置する鏡扉３２を「右側の鏡扉３２」といい、左側の鏡扉３２と右側の鏡扉３２との間に位置する鏡扉３２を「中央の鏡扉３２」という。
【００２１】
各鏡扉３２は、対応する箱体３３の前面にヒンジを介して回転可能に取り付けられており、対応する箱体３３の開口３４（図３参照）を開閉する。各鏡扉３２の前面は、鏡面になっている。
【００２２】
図１に示すように、ミラーキャビネット３は、複数の照明装置４を更に有している。各照明装置４は、前方に向かって照明光を発することで、ミラーキャビネット３の前方領域を照らす。化粧台ユニット１の利用者は、化粧台ユニット１の前方に位置することで、複数の照明装置４から前方に発せられた照明光を利用して、化粧等を行うことができる。
【００２３】
本実施形態のミラーキャビネット３は、複数の照明装置４として、二つの照明装置４を有している。二つの照明装置４は、左右方向において間隔をあけて並んでいる。以下、二つの照明装置４のうち、左側に位置する一方の照明装置４を「左側の照明装置４」といい、右側に位置する他方の照明装置４を「右側の照明装置４」という。
【００２４】
右側の照明装置４は、図３に示すように、中央の箱体３３と右側の箱体３３との間に位置している。なお、図３において左側に位置する箱体３３が中央の箱体３３であり、図３において右側に位置する箱体３３が右側の箱体３３である。同様に、左側の照明装置４は、中央の箱体３３と左側の箱体３３との間に位置している。
【００２５】
各照明装置４は、上下方向と平行に延びた直線状に形成されている。各照明装置４の上下長さは、中央の箱体３３の上下長さと略同じであり、各照明装置４は、中央の箱体３３の上下方向の略全長にわたっている。各照明装置４は、中央の箱体３３に固定されている。
【００２６】
各照明装置４は、光を発する発光部を有している。本実施形態の発光部は、光源４７（図４参照）から発せられた光を受けて発光する導光部材４１である。
【００２７】
図４に示すように、各照明装置４は、ホルダー４２を更に有している。ホルダー４２は、上下方向と平行に延びた長尺な部材である。ホルダー４２は、金属製であって、例えば、アルミニウム、鉄、銅等の熱伝導性の優れた材料から形成されている。ホルダー４２は、図３に示すように、中央の箱体３３と、中央の箱体３３に対して左右方向に間隔をあけて配置された他の箱体３３（すなわち、左側の照明装置４にあっては左側の箱体３３であり、右側の照明装置４にあっては、右側の箱体３３）との間に位置している。ホルダー４２は、ねじ等の固着具によって中央の箱体３３に取り付けられている。
【００２８】
図４に示すように、ホルダー４２には、前方に開口した溝４３が、ホルダー４２の上下方向の全長に亘って形成されている。ホルダー４２の溝４３には、導光部材４１が嵌め込まれている。これにより、導光部材４１は、ホルダー４２によって保持されている。
【００２９】
各照明装置４は、光源ブロック４４を更に有している。光源ブロック４４は、ケース４５、回路基板４６及び複数の光源４７を有している。
【００３０】
ケース４５は、ホルダー４２の上端部に取り付けられている。ケース４５には、回路基板４６が収納されている。回路基板４６はプリント基板であって、ケース４５に取り付けられている。複数の光源４７の各々は、発光ダイオードである。各光源４７は、回路基板４６の下面に実装されており、回路基板４６が有する配線に電気的に接続されている。各光源４７は、下方に向かって光を発する。
【００３１】
複数の光源４７の下方には、導光部材４１が位置している。導光部材４１は、透光性を有している。導光部材４１は、例えば、アクリル樹脂等の透明な樹脂から形成される。
【００３２】
導光部材４１は、縦長の棒状に形成されている。導光部材４１は、長さ方向と直交する断面の形状が長さ方向に亘って一様である。図３に示すように、ミラーキャビネット３の各鏡扉３２を閉じた状態において、右側の照明装置４の導光部材４１は、中央の鏡扉３２と右側の鏡扉３２との間に位置しており、前方から見て中央の鏡扉３２と右側の鏡扉３２との間に位置している。また、各鏡扉３２を閉じた状態において、左側の照明装置４の導光部材４１は、中央の鏡扉３２と左側の鏡扉３２との間に位置しており、前方から見て、中央の鏡扉３２と左側の鏡扉３２との間に位置している。
【００３３】
導光部材４１の上下長さは、照明装置４の上下長さと略同じであり、導光部材４１は、中央の箱体３３の上下方向の略全長にわたっている。図４に示すように、導光部材４１は、入光部４８、反射部４９、及び出光部５０を有している。入光部４８は、導光部材４１の上端面で構成されている。入光部４８は、複数の光源４７の下方に位置しており、複数の光源４７に対向している。各光源４７から発せられた光は、入光部４８から導光部材４１に入射する。
【００３４】
導光部材４１の後面には、反射部４９が設けられている。反射部４９は、導光部材４１の上下方向の略全長にわたって設けられている。反射部４９は、例えば、導光部材４１の後面に印刷、蒸着、二色成形等によって設けられた反射性の高い物質、導光部材４１の後面に形成された凹凸等である。反射部４９は、入光部４８から導光部材４１に入射した光を、導光部材４１の内部を下方に向かって進行する過程で、拡散して前側に反射する。
【００３５】
出光部５０は、第１出光面５０１と、第２出光面５０２との二つの出光面５０１，５０２を有している。第１出光面５０１は、導光部材４１の前面であり、前方を向いている。第１出光面５０１は、上下方向に延びた面であり、導光部材４１の上下方向の全長にわたっている。第２出光面５０２は、導光部材４１の下端面であり、下方を向いている。
【００３６】
入光部４８から導光部材４１に入射した光の大部分は、反射部４９において反射した後、あるいは直接、第１出光面５０１に至り、この後、第１出光面５０１から導光部材４１の前方に向かって出射する。また、入光部４８から導光部材４１に入射した光の他の一部は、反射部４９又は第１出光面５０１で反射した後、あるいは直接、第２出光面５０２に至り、この後、第２出光面５０２から導光部材４１の下方に向かって出射する。
【００３７】
各照明装置４は、伝熱部材５１を更に有している。伝熱部材５１は、回路基板４６とホルダー４２とを熱的に接続している。伝熱部材５１は、金具５１０、第１伝熱シート５１１及び第２伝熱シート５１２を有している。金具５１０は、ねじ等の固着具５１３によってケース４５と共にホルダー４２の上端部に取り付けられている。金具５１０は、上下方向に延びた第１部分５２１と、第１部分５２１の上端部から前方に向かって突出した第２部分５２２とを有している。
【００３８】
第１伝熱シート５１１及び第２伝熱シート５１２の各々は、例えば、シリコーン等の熱伝導性の優れた材料によって形成されたシートである。図３に示すように、第１伝熱シート５１１は、ホルダー４２の内部に位置しており、ホルダー４２と金具５１０の第１部分５２１との間に挟まれている。図４に示す第２伝熱シート５１２は、ケース４５の内部に位置しており、回路基板４６と金具５１０の第２部分５２２との間に挟まれている。
【００３９】
回路基板４６は、第２伝熱シート５１２、金具５１０及び第１伝熱シート５１１を介して、ホルダー４２に熱的に接続されている。光源４７の発光時等において回路基板４６で発生した熱は、回路基板４６から伝熱部材５１に伝わり、伝熱部材５１で放散する。また、回路基板４６から伝熱部材５１に伝わった熱の一部は、ホルダー４２に伝わり、金属製で放熱性の高いホルダー４２において放散する。
【００４０】
各照明装置４は、光変調器５３を更に有している。光変調器５３は、導光部材４１の下方に位置し、導光部材４１の第２出光面５０２に対向している。光変調器５３は、第２出光面５０２から出射した光を変調し、図２に示すようにカウンター上面２２０に投影される表示光を生成する。つまり、光変調器５３は、ミラーキャビネット３の前方を照明する導光部材４１をバックライトとして用いて表示光を生成する。
【００４１】
図４に示す本実施形態の光変調器５３は、液晶パネルである。この液晶パネルとしては、例えば、従来から利用されている液晶パネルと同様の透過型の液晶パネルが用いられる。液晶パネルである光変調器５３は、例えば、入光側から出光側（上方から下方）に向かって順に配置された、第１偏光板、第１基板、液晶層、第２基板及び第２偏光板を有する。この液晶パネルは、第１基板に含まれた第１電極と、第２基板に含まれた第２電極との間に電圧を印加して液晶層に含まれた液晶分子を配向することで、液晶パネルの各画素を通過する光の量を制御して表示光を生成する。また、本実施形態の液晶パネルは、カラー表示を行う液晶パネルであり、第２基板等に各画素の色を規定するカラーフィルターが含まれている。
【００４２】
各照明装置４は、第１カバー６１、第２カバー６２及び第３カバー６３の三つのカバーを更に有している。第１カバー６１は、導光部材４１の第１出光面５０１を前方から覆う前カバーであり、ホルダー４２の前端部に取り付けられている。第１カバー６１は、透光性を有している。第１出光面５０１から出た光は、第１カバー６１を透過し、照明光として、第１カバー６１の前方、すなわち、照明装置４の前方に出る。
【００４３】
第２カバー６２は、光変調器５３の下面を下方から覆う変調器カバーであり、ホルダー４２の下端部に取り付けられている。第２カバー６２は、透光性を有している。光変調器５３の下面から出た光は、第２カバー６２を透過し、表示光又は後述する照明光として、第２カバー６２の下方、すなわち、照明装置４の下方に出る。
【００４４】
第３カバー６３は、金具５１０の第２部分５２２を上方から覆う金具カバーであり、ホルダー４２の上端部又はケース４５に取り付けられている。第３カバー６３によって第２部分５２２が覆われることで、高温になった第２部分５２２に利用者が直接接触することが抑制される。
【００４５】
図５に示すように、化粧台ユニット１は、照明装置４の光源ブロック４４及び光変調器５３を制御する制御部７を更に有している。制御部７は、例えば、ＣＰＵ（Central Processing Unit）及びメモリを主構成とするマイクロコンピュータにて構成されている。制御部７は、例えば、照明装置４に組み込まれる。
【００４６】
化粧台ユニット１は、切換指令部を更に有している。切換指令部は、制御部７に指令信号を出力することで、発光部である導光部材４１の発光の有無の切換えの指令と、光変調器５３による表示の有無の切換えの指令を行う。本実施形態の切換指令部は、利用者によって操作される操作部８である。操作部８は、複数のスイッチを有しており、これら複数のスイッチが利用者によって操作されることで、上記の指令を行う。
【００４７】
制御部７は、操作部８から導光部材４１を発光状態とする指令を受けると、光源ブロック４４を制御し、図４に示す複数の光源４７を発光状態とする。これにより、導光部材４１は発光状態となる。すなわち、複数の光源４７が発した光は、入光部４８から導光部材４１に入射し、この光の大部分が第１出光面５０１から出射し、他の一部が第２出光面５０２から出射する。このように導光部材４１が発光したとき、第１出光面５０１から出た光は、第１カバー６１を透過し、照明光としてミラーキャビネット３の前方領域に出る。
【００４８】
制御部７は、操作部８から導光部材４１を消灯状態とする指令を受けると、光源ブロック４４を制御し、各光源４７を消灯状態とする。これにより、導光部材４１は、複数の光源４７からの光が入射しない消灯状態になる。
【００４９】
制御部７は、複数の光源４７が発光状態にあり（導光部材４１が発光状態にあり）、かつ、光変調器５３による表示の指令を受けていないとき、表示光ではなく照明光が光変調器５３から出るように光変調器５３を制御する。この照明光は、表示光と比較して照明に適した光である。なお、この場合の光変調器５３の制御は、光変調器５３の第１電極及び第２電極の間に電圧を印加せずに液晶分子の配向を伴わない制御であってもよいし、第１電極及び第２電極の間に電圧を印加して液晶分子の配向を伴う制御であってもよい。
【００５０】
上記のように光変調器５３が制御されることにより、導光部材４１の第２出光面５０２から出た光は、光変調器５３及び第２カバー６２を通過し、照明光としてカウンター上面２２０に照射され、この光によってカウンター上面２２０が照らされる。
【００５１】
左側の照明装置４の第２出光面５０２から出た光からなる照明光は、カウンター上面２２０における左側部分の領域２２１（図２参照）に照射される。また、右側の照明装置４の第２出光面５０２から出た光からなる照明光は、カウンター上面２２０における右側部分の領域２２２（図２参照）に照射される。
【００５２】
図２に示す領域２２１及び領域２２２の各々は、上方から見て円形の領域であり、領域２２１と領域２２２とは、一部が重なっている。領域２２１及び領域２２２には、ボウル部２７の底部２７０の上面と、カウンター上面２２０におけるボウル部２７以外の部分とが含まれている。
【００５３】
図５に示す制御部７は、各照明装置４の光源４７が発光状態にあり、かつ、操作部８から光変調器５３による表示を行う旨の指令を受けたとき、各照明装置４の光変調器５３がカウンター上面２２０（図２参照）に投影される表示光を生成するように、各変調器５３を制御する。すなわち、この場合、図４に示す各照明装置４の第２出光面５０２から出射した光は、対応する光変調器５３によって変調され、これにより、カウンター上面２２０に投影される表示光が生成される。このように各変調器５３において生成された表示光は、図２に示すように、カウンター上面２２０に照射され、これにより、カウンター上面２２０には、表示光によって形成された画像が表示される。
【００５４】
制御部７は、表示光を生成するにあたって、表示情報を取得し、この表示情報に基づいて各光変調器５３を制御することで、カウンター上面２２０に画像を表示する。本実施形態の制御部７は、図５に示すように、現在時刻を計測する計時部７１を含んでおり、計時部７１で計測した現在時刻を含む表示情報を取得する。そして、制御部７は、この表示情報に基づいて各光変調器５３を制御することにより、図２に示すように、現在時刻を示した画像をカウンター上面２２０に表示する。このため、利用者は、カウンター上面２２０に表示された画像を見ることで、現在の時刻を認識することができる。
【００５５】
各照明装置４の第２出光面５０２から出た光からなる表示光は、照明光と同じ領域（すなわち、領域２２１又は領域２２２）に照射される。すなわち、左側の照明装置４の第２出光面５０２から出た光からなる表示光は、カウンター上面２２０における左側部分の領域２２１に照射される。また、右側の照明装置４の第２出光面５０２から出た光からなる表示光は、カウンター上面２２０における右側部分の領域２２２に照射される。
【００５６】
領域２２１及び領域２２２の各々は、ボウル部２７の底部２７０の上面と、カウンター上面２２０のボウル部２７以外の部分とで構成される。すなわち、各領域２２１は、カウンター上面２２０における平面部である。このため、各領域２２１，２２２には、画像が鮮明に表示されやすい。なお、本開示における平面には、凹凸及び湾曲等の全くない平らな面だけでなく、概ね平らな面であれば、凹凸等のある面や、わずかに湾曲した曲面も含まれる。すなわち、本開示における平面は、光変調器５３が発する表示光によって形成される映像が鮮明であれば、凹凸や湾曲等がある面であってもよい。
【００５７】
また、本実施形態の各変調器５３は、カラー表示を行う液晶パネルであり、各領域２２１，２２２には、カラーの画像を表示することができる。
【００５８】
（２）変形例
上記実施形態の化粧台ユニット１は、適宜設計変更可能である。例えば、上記実施形態では、照明光及び表示光の各々が、ボウル部２７の底部２７０の上面と、カウンター上面２２０におけるボウル部２７以外の部分との両者に照射されるが、底部２７０の上面のみ、あるいは、カウンター上面２２０におけるボウル部２７以外の部分にのみ照射されてもよい。また、照明光及び表示光の各々は、化粧台２の上面に照射されるのであれば、凹凸がある面や曲面等に照射されてもよい。
【００５９】
また、上記実施形態の光変調器５３は、カラー表示を行う液晶パネルであるが、モノクロ表示を行う液晶パネルであってもよい。また、上記実施形態の光変調器５３は、照明装置４に組み込まれているが、ミラーキャビネット３における照明装置４以外の部分に設けられてもよい。また、光変調器５３は、液晶パネルに限定されず、例えば、ＤＭＤ（Digital Micro mirror Device）等、マイクロミラー型の光変調装置であってもよい。
【００６０】
また、各照明装置４は、導光部材４１に向かって光を発する光源４７を複数有してもよい。また、光源４７は、発光ダイオードに限定されず、白熱電球、放電灯、有機エレクトロルミネッセンス等であってもよい。また、ホルダー４２は、樹脂等の金属以外の材料から形成されてもよい。
【００６１】
また、上記実施形態の導光部材４１は、第１出光面５０１及び第２出光面５０２から照明光を発するが、第２出光面５０２からのみ照明光を出射してもよい。すなわち、この場合、導光部材４１は下方にのみ光を出し、この光が照明光又は表示光として、カウンター上面２２０に照射される。また、導光部材４１は、ポリカーボネート樹脂等、アクリル樹脂以外の樹脂から形成されてもよい。また、導光部材４１は、ガラス等、樹脂以外の材料から形成されてもよい。
【００６２】
また、発光部は、導光部材４１に限定されず、発光ダイオード、白熱電球、放電灯、有機エレクトロルミネッセンス等の光源であってもよい。この場合、各照明装置４は、光源４７を有さなくてもよい。また、ミラーキャビネット３が有する照明装置４の数は、二つに限られず、一つ又は三つ以上であってもよい。また、ミラーキャビネット３は、化粧台２と一体に形成されてもよい。
【００６３】
また、制御部７が取得する表示情報は、時刻に限定されず、例えば、日付、気温、湿度、天気等を示す文字、人物、動物、模様等の画像であってもよい。また、表示情報は、静止画であってもよいし、動画であってもよい。また、制御部７は、ミラーキャビネット３における照明装置４以外の部分に設けられてもよい。また、切換指令部は、操作部８に限定されず、例えば、利用者の発する音、利用者の動作等に基づいて前記指令を行うものであってもよい。
【００６４】
また、ミラーキャビネット３が備える箱体３３（収納部）の数は、三つに限られない。例えば、ミラーキャビネット３は、箱体３３を二つだけ有してもよいし、箱体３３を四つ以上有してもよい。また、キャビネット本体３１は、例えば、複数の箱体３３で構成されたものに限定されず、例えば、一つの部材で構成されてもよい。また、ミラーキャビネット本体３１は、木製に限られず、合成樹脂製であってもよい。
【００６５】
また、化粧台２のボウル部２７は、カウンター２２のボウル部２７以外の部分とは別の部材で構成されてもよい。また、水栓２８の位置は、適宜変更可能である。例えば、水栓２８は、上方から見て、ボウル部２７の側方に位置してもよい。また、水栓２８は、ミラーキャビネット３に取り付けられてもよい。また、化粧台２は、カウンター２２だけで構成されてもよい。また、化粧台２は、洗面台に限定されない。例えば、化粧台２は、上面の全体が平面である化粧台であってもよい。
【００６６】
（３）態様
以上説明した、実施形態及び変形例から明らかなように、第１の態様の化粧台ユニット（１）は、以下に示す構成を有する。化粧台ユニット（１）は、化粧台（２）と、ミラーキャビネット（３）とを備える。ミラーキャビネット（３）は、化粧台（２）の上方に配置される。ミラーキャビネット（３）は、発光部（導光部材４１）と、光変調器（５３）とを有している。発光部は、照明光を発する。光変調器（５３）は、発光部から発せられた光を変調して、化粧台（２）の上面に投影される表示光を生成する。
【００６７】
この態様によれば、照明光を発する発光部から出た光を利用して、洗面台（２）の上面に画像を表示することができる。
【００６８】
第２の態様の化粧台ユニット（１）は、第１の態様との組み合わせにより実現され得る。第２の態様の化粧台ユニット（１）は、以下に示す構成を有する。化粧台ユニット（１）は、制御部（７）を更に備える。制御部（７）は、光変調器（５３）を、発光部から発せられた光を照明光として化粧台（２）の上面に照射する状態と、発光部から発せされた光を表示光として化粧台（２）の上面に照射する状態とに切換える。
【００６９】
この態様によれば、化粧台（２）の上面に照明に適した照明光を当てて照らすことができる。
【００７０】
第３の態様の化粧台ユニット（１）は、第１又は第２の態様との組み合わせにより実現され得る。第３の態様の化粧台ユニット（１）は、以下に示す構成を有する。化粧台（２）は、ボウル部（２７）を有する。ボウル部（２７）は、化粧台（２）の上面に形成されている。光変調器（５３）は、表示光をボウル部（２７）に向かって発する。
【００７１】
この態様によれば ボウル部（２７）に画像を表示することができる。
【００７２】
第４の態様の化粧台ユニット（１）は、第１〜第３のいずれかの態様との組み合わせにより実現され得る。第４の態様の化粧台ユニット（１）は、以下に示す構成を有する。化粧台（２）の上面は、平面部を有する。光変調器（５３）は、表示光を平面部に向かって発する。
【００７３】
この態様によれば、光変調器（５３）で変調した表示光を平らな平面部に照射することで、化粧台（２）の上面に鮮明な画像を表示することができる。
【００７４】
第５の態様の化粧台ユニット（１）は、第１〜第４のいずれか一つの態様との組み合わせにより実現され得る。第５の態様の化粧台ユニット（１）は、以下に示す構成を有する。
【００７５】
発光部は、ミラーキャビネット（３）の前方に向かって照明光を発し、かつ、ミラーキャビネット（３）の下方に向かって光を発する。光変調器（５３）は、発光部から下方に向かって発せられた光を変調して、表示光を生成する。
【００７６】
この態様によれば、発光部から下方に向かって発せられた光を利用して、化粧台（２）の上面に画像を表示することができる。
【００７７】
また、第６の態様のミラーキャビネット（３）は、化粧台（２）の上方に配置されるミラーキャビネット（３）であって、以下に示す構成を有する。ミラーキャビネット（３）は、発光部と光変調器（５３）とを有する。発光部は、照明光を発する。光変調器（５３）は、発光部から発せられた光を変調して、化粧台（２）の上面に照射される表示光を生成する。
【００７８】
この態様によれば、照明光を発する発光部から出た光を利用して、洗面台（２）の上面に画像を表示することができる。
【符号の説明】
【００７９】
１  化粧台ユニット
２  化粧台
２７  ボウル部
３  ミラーキャビネット
４１  導光部材（発光部）
５３  光変調器
７  制御部
【図１】
2020195556.tif 000003
【図２】
2020195556.tif 000004
【図３】
2020195556.tif 000005
【図４】
2020195556.tif 000006
【図５】
2020195556.tif 000007